【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップと、
を含むことを特徴とするデータ収集方法。
【請求項２】
前記データエントリフォームは、データの対話式入力を提供することを特徴とする請求項１記載のデータ収集方法。
【請求項３】
前記データエントリフォームは、標準のまたはプロプライエタリーな文書言語、スクリプト言語、及びプログラミング言語のうちの少なくとも１つを使用して作成されることを特徴とする請求項２記載のデータ収集方法。
【請求項４】
前記データエントリフォームは、ＨＴＭＬ、ＸＭＬ、Java、及びJavascriptのうちの少なくとも１つを使用して作成されることを特徴とする請求項２記載のデータ収集方法。
【請求項５】
前記データエントリフォームは、通信接続していない状態のデータエントリシステムにおいてデータの対話式入力を提供することを特徴とする請求項１記載のデータ収集方法。
【請求項６】
前記データエントリフォームは、標準のまたはプロプライエタリーな文書言語、スクリプト言語、及びプログラミング言語のうちの少なくとも１つを使用して作成されることを特徴とする請求項５記載のデータ収集方法。
【請求項７】
前記データエントリフォームは、ＨＴＭＬ、ＸＭＬ、Java、及びJavascriptのうちの少なくとも１つを使用して作成されることを特徴とする請求項６記載のデータ収集方法。
【請求項８】
収集対象のデータを定義するデータセットを作成するステップと、
前記データ収集方法の参加者を選択するステップとを更に含むことを特徴とする請求項１記載のデータ収集方法。
【請求項９】
前記データエントリフォーム作成ステップは、
前記データ収集方法の前記参加者に対する前記データセットにより定義される所要のデータを入力するためのデータエントリフォームを作成するステップを含むことを特徴とする請求項８記載のデータ収集方法。
【請求項１０】
前記データ収集方法の参加者選択ステップは、
前記データ収集方法の複数の参加者を選択するステップを含むことを特徴とする請求項８記載のデータ収集方法。
【請求項１１】
前記データエントリフォーム作成ステップは、
前記データ収集方法の各参加者に対する前記データセットにより定義される所要のデータを入力するためのデータエントリフォームを作成するステップを含むことを特徴とする請求項１０記載のデータ収集方法。
【請求項１２】
前記データエントリフォームを含む電子メールメッセージの生成ステップは、
前記データ収集方法の各参加者に対して前記データエントリフォームを含む電子メールメッセージを生成するステップを含むことを特徴とする請求項１１記載のデータ収集方法。
【請求項１３】
前記電子メールメッセージ送信ステップは、
前記データ収集方法の各参加者にデータエントリフォームを送信するステップを含むことを特徴とする請求項１２記載のデータ収集方法。
【請求項１４】
前記所要のデータを含む電子メールメッセージの受信ステップは、
前記データ収集方法の各参加者に対する前記所要のデータを含む電子メールメッセージを受信するステップを含むことを特徴とする請求項１３記載のデータ収集方法。
【請求項１５】
各データエントリフォームは、データの対話式入力を提供することを特徴とする請求項１４記載のデータ収集方法。
【請求項１６】
各データエントリフォームは、標準のまたはプロプライエタリーな文書言語、スクリプト言語、及びプログラミング言語のうちの少なくとも１つを使用して作成されることを特徴とする請求項１５記載のデータ収集方法。
【請求項１７】
各データエントリフォームは、ＨＴＭＬ、ＸＭＬ、Java、及びJavascriptのうちの少なくとも１つを使用して作成されることを特徴とする請求項１５記載のデータ収集方法。
【請求項１８】
各データエントリフォームは、データエントリシステムが通信接続していない状態で、前記データエントリシステムにおいてデータの対話式入力を提供することを特徴とする請求項１４記載のデータ収集方法。
【請求項１９】
各データエントリフォームは、標準のまたはプロプライエタリーな文書言語、スクリプト言語、及びプログラミング言語のうちの少なくとも１つを使用して作成されることを特徴とする請求項１８記載のデータ収集方法。
【請求項２０】
各データエントリフォームは、ＨＴＭＬ、ＸＭＬ、Java、及びJavascriptのうちの少なくとも１つを使用して作成されることを特徴とする請求項１８記載のデータ収集方法。
【請求項２１】
データエントリシステムにおけるデータ収集方法において、
データを要求するデータエントリフォームを含む電子メールメッセージを受信するステップと、
前記電子メールメッセージから前記データエントリフォームを抽出するステップと、
前記所要のデータを前記データエントリフォームへと対話式で入力するステップと、
前記入力されたデータを含む電子メールメッセージを送信するステップと、
を含むことを特徴とするデータ収集方法。
【請求項２２】
前記データエントリフォームを表示するステップを更に含むことを特徴とする請求項２１記載のデータ収集方法。
【請求項２３】
前記データエントリフォームは、標準のまたはプロプライエタリーな文書言語、スクリプト言語、及びプログラミング言語のうちの少なくとも１つを使用して作成されることを特徴とする請求項２２記載のデータ収集方法。
【請求項２４】
前記データエントリフォームは、ＨＴＭＬ、ＸＭＬ、Java、及びJavascriptのうちの少なくとも１つを使用して作成されることを特徴とする請求項２２記載のデータ収集方法。
【請求項２５】
ブラウザプログラムを使用して前記データエントリフォームを表示するステップを更に含むことを特徴とする請求項２１記載のデータ収集方法。
【請求項２６】
前記データエントリフォームは、標準のまたはプロプライエタリーな文書言語、スクリプト言語、及びプログラミング言語のうちの少なくとも１つを使用して作成されることを特徴とする請求項２５記載のデータ収集方法。
【請求項２７】
前記データエントリフォームは、ＨＴＭＬ、ＸＭＬ、Java、及びJavascriptのうちの少なくとも１つを使用して作成されることを特徴とする請求項２５記載のデータ収集方法。
【請求項２８】
前記所要のデータを対話式でデータエントリフォームへと入力するステップは、
前記データエントリシステムが通信接続していない状態で前記所要のデータを前記データエントリフォームへと対話式で入力するステップを含むことを特徴とする請求項２１記載のデータ収集方法。
【請求項２９】
前記データエントリフォームを表示するステップを更に含むことを特徴とする請求項２８記載のデータ収集方法。
【請求項３０】
前記データエントリフォームは、標準のまたはプロプライエタリーな文書言語、スクリプト言語、及びプログラミング言語のうちの少なくとも１つを使用して作成されることを特徴とする請求項２９記載のデータ収集方法。
【請求項３１】
前記データエントリフォームは、ＨＴＭＬ、ＸＭＬ、Java、及びJavascriptのうちの少なくとも１つを使用して作成されることを特徴とする請求項２９記載のデータ収集方法。
【請求項３２】
ブラウザプログラムを使用して前記データエントリフォームを表示するステップを更に含むことを特徴とする請求項２８記載のデータ収集方法。
【請求項３３】
前記データエントリフォームは、標準のまたはプロプライエタリーな文書言語、スクリプト言語、及びプログラミング言語のうちの少なくとも１つを使用して作成されることを特徴とする請求項３２記載のデータ収集方法。
【請求項３４】
前記データエントリフォームは、ＨＴＭＬ、ＸＭＬ、Java、及びJavascriptのうちの少なくとも１つを使用して作成されることを特徴とする請求項３２記載のデータ収集方法。